(57)【要約】【課題】  本発明は、リムを用いずにレンズを保持する眼鏡において、眼鏡レンズ側面から入る光による視野のコントラストの低下を防ぐことができる眼鏡を提供し、眼鏡の使用感とデザイン性の向上を図ることを目的としている。【解決手段】  上記の課題を解決するために、本発明は、ヨロイ、ブリッジおよびレンズなどの各部品から構成されるリムレスメガネにおいて、前記レンズの形状が五角形であることを特徴とするリムレスメガネにおける眼鏡レンズである。【選択図】      図７
2005227642.tif 000002
【特許請求の範囲】
【請求項１】
ヨロイ、ブリッジおよびレンズなどの各部品から構成されるリムレスメガネにおいて、前記レンズの形状が五角形であることを特徴とするリムレスメガネにおける眼鏡レンズ。
【発明の詳細な説明】
【技術分野】
【０００１】
本発明は、眼鏡用レンズに関する。
【背景技術】
【０００２】
眼鏡は、左右一対のレンズと、この一対のレンズをレンズ側面から保持し眼鏡フレームの本体部となる本体リムと、眼鏡装用者の鼻や耳等に係止するための、鼻当てパッドやテンプルおよび係止杆（テンプルエンド、耳当て部）などの部品により構成されている。
【０００３】
レンズを固定する眼鏡枠には、形状からみて、リムでレンズ全体を囲むものとそうでないものを用いている。フルリムを用いる眼鏡枠は、薬研加工を施したレンズ周囲をリムで取り巻くように保持するものである。枠構成部品は、金属、プラスチック、金属とプラスチックの組み合わせを素材としている。プラスチック枠は、プラスチック製のテンプルとフロントを金属製の丁番で接続して構成されている。レンズは、フロントに設けた溝にはめ込んで固定している。金属枠は、金属製のリム、ブリッジ、智、パッド足等をろう付けで固定して構成したフロントとテンプルから成る。レンズの固定には、リムに溝を設けてレンズを嵌合する方法がとられている。金属とプラスチックを組み合わせた眼鏡枠もあり、レンズの固定方法はプラスチック枠ないし金属枠に準ずる方法がとられている。
【０００４】
リムを用いない眼鏡枠は、ナイロール等の溝掘り枠と、縁なし枠あるいはツーポイントと呼ばれる枠の２つに分けられる。溝掘り枠は、レンズにリムバーおよびバンドを固定する溝を加工し、リムバーとバンドによりレンズを保持するものである。リムバーは、丁度リムの上側部分にあたり、リムバーの両端からバンドを用いてレンズを懸架する。溝掘り枠も、レンズやバンドを除き、枠構成部品は金属製が多く、部品の接続にはネジ止めやロー付けが多用される。
【０００５】
縁なし枠またはツーポイント等のリムレス眼鏡においてはリムがないために、ヨロイやブリッジをリムにロー付けできない。そのためレンズに孔（貫通孔）または穴（窪み）を開けてネジやピンなどを用いて装着する方法が採られている。その装着方法には様々な形態がある。とくに最近では安定した装着が可能という理由から、ツーポイントフレーム構造が広く採用されるようになってきている。
【０００６】
リムレス眼鏡におけるレンズの止着方法として、「リムレス眼鏡のレンズ止着機構」（特許文献１）がある。図１は特許文献１の発明におけるレンズの止着方法を説明するための図である。各レンズj1にはブリッジj2の近傍位置に中央止着孔j11、およびエンドピースj3の近傍位置に外側止着孔j12が各々穿孔されており、前記ブリッジj2の左右両端近くにはスピットピンj21が調節可能に止着固定されている一方、このスピットピンj21は前記レンズj1の接眼側に位置して当該レンズの中央止着孔j11を穿刺してブリッジj2とスピットピンj21とでレンズj1を緊結挟持しており、エンドピースj3のレンズ側端部には外側スピットピンj31が調節可能に止着固定されている一方、この外側スピットピンj31は当該レンズの外側止着孔j12を穿刺してエンドピースj3と外側スピットピンj31とでレンズj1を緊結挟持することにより、左右のレンズj1・j1を連結保持している。
【０００７】
また、「リムレス眼鏡」（特許文献２）では、レンズの止着方法として、眼鏡レンズの縁部に切欠部を設けてこの切欠部に取付部材はめ込んで取り付けるようにしたリムレス眼鏡であって、前記切欠部は、眼鏡レンズの縁から中央側に向かってほぼ一定の幅又は次第に狭まる幅を有し、その内周壁部に前記眼鏡レンズの表裏面にほぼ平行な突条又は溝条が形成されたものであり、取付部材は、この取付部材を前記眼鏡レンズの縁側から前記切欠部に挿入してはめ込むとき、前記切欠部の内周壁部に当たる部位に前記切欠部の突条又は溝条に嵌まる溝条又は突条が形成されたものであり、前記取付部材を眼鏡レンズの縁側から前記切欠部に挿入してはめ込むんで取り付けるようにしたものが開示されている。
【０００８】
このようなリムレス眼鏡は枠構成部品が小さいために軽量で、眼鏡の装用による装用者の印象変化が少ない眼鏡を提供できるために人気がある。また、リムを用いる眼鏡枠とは大きく異なるデザインが可能である。
【特許文献１】特開２００２−６２６３号公報
【特許文献２】特開２００２−１４３０３号公報
【発明の開示】
【発明が解決しようとする課題】
【０００９】
眼鏡を利用しているときにも様々な角度から光が入射している。眼鏡に用いられているレンズとしては、プラスチックレンズとガラスレンズがある。眼鏡は視力の矯正が主目的である。そのため出来るだけ明瞭に視力を矯正するために、従来においても眼鏡レンズの前面と後面に反射防止マルチコートを施し、レンズの前面と後面で光の反射を防止することでちらつきをなくし見やすくするための処理等がなされている。
【００１０】
リムレス眼鏡ではレンズ側面はカット面が露出しているため、レンズ側面からの入射光がある。レンズ側面から入射した光は、レンズ内で反射或いは散乱して迷光となり目に入るものもある。その結果、眼鏡利用者の視野が白っぽくなり、コントラストの低下をもたらすという問題がある。従来技術でも見られるように、リムレス眼鏡におけるレンズの形状は、ほぼ玉型の形状である。このような形状のレンズの場合、側面から入射した光はレンズが玉型であるために反射あるいは全反射を繰り返し易い構造となっている（図２参照）。もちろん、レンズ側面のレンズカット面にも反射防止マルチコートを施すことで、側面における光の反射を少なくすることも可能ではあるが、カット前の大きな円形レンズの両面にコーティングを施す現在の製造工程では実現は難しい。
【００１１】
本発明は、リムを用いずにレンズを保持する眼鏡において、眼鏡レンズ側面から入る光による視野のコントラストの低下を防ぐことができる眼鏡を提供し、眼鏡の使用感とデザイン性の向上を図ることを目的としている。
【課題を解決するための手段】
【００１２】
上記の課題を解決するために、本発明の請求項１に記載された発明は、ヨロイ、ブリッジおよびレンズなどの各部品から構成されるリムレスメガネにおいて、前記レンズの形状が五角形であることを特徴とするリムレスメガネにおける眼鏡レンズである。
【００１３】
三角形、四角形などのレンズでも本発明のレンズと同様な迷光防止機能はあるが、人の視野を考慮した場合は不必要な部分が大きくなりすぎる。また、六角形以上になると、従来の円形、楕円形のレンズ形に近くなり、迷光防止機能が弱くなる。５角形のレンズは、迷光防止と、人の視野の関係を考慮し、研究の結果、もっとも適切な形状として選択されたものである。
【発明の効果】
【００１４】
本発明では、リムレスメガネにおける眼鏡レンズの形状を五角形とすることで、眼鏡レンズ側面のレンズカット面から入射した光が、レンズ内で反射を繰り返して迷光となることを防ぐことができるため、眼鏡利用者の視野が白っぽくなるという問題を防ぐことができる。
【発明を実施するための最良の形態】
【００１５】
本発明のリムレスメガネの実施例について図面と共に説明する。光が物体に当たると、入射光線の一部は表面から物体に進入し、残りは表面から反射する。（図３参照）光が異なる媒質の境界面に達すると、光の透過媒質であれば入射光線の一部は進む向きを変え、屈折光線となって、第２の媒質の中を進む。この屈折する角度については、媒質１での光の入射光線の角度（入射角）をｉ、媒質２での屈折光線の角度（屈折角）をｒ、媒質１に対する媒質２の屈折率をｎ12とすると、下記の公式が成り立つ。
（ｓｉｎｉ／ｓｉｎｒ）＝ｎ12（一定）
光が逆に進むときにも光の道筋は同じである。
【００１６】
光が大きい屈折率ｎ2の媒質２から、小さい屈折率ｎ1の媒質１に入射するときには、入射角ｉより屈折角ｒの方が大きいため、ある入射角の値に対して屈折角が９０度となる。このときの入射角をｉ0とすると、屈折の法則よりｎ2ｓｉｎｉ0＝ｎ1ｓｉｎ９０°となる。すなわち、ｓｉｎｉ0＝（ｎ1／ｎ2）となり、入射角がｉ0よりも大きいと、屈折光線が全くなくなり、反射のみが起きる。この現象を全反射といい、ｉ0を媒質１に対する、媒質２の臨界角という。図４の（１）では、媒質２中（レンズ中）の光は境界面で一部は屈折して媒質１中（空気中）に抜け、一部は反射している。（２）に示すように入射角が臨界角になると屈折光線がなくなる。（３）に示すように入射角が臨界角を超えると全ての光が反射される。屈折率ｎ2＝１．５のガラスから空気（ｎ1＝１．０）へ光が入射する場合の臨界角は、
ｓｉｎｉ0＝（ｎ1／ｎ2）＝１．０／１．５＝０．６６７
ｉ0＝４１．８°
となり、入射角が４１．８°よりも大きいと、屈折光線が全くなく、すべて光は反射する。
【００１７】
図５は、本発明の眼鏡レンズの実施の形態を表す一例である。図５の例ではレンズの形状は五角形である。このようにレンズの形状を五角形とすることで、図６に示すように、眼鏡レンズ側面のレンズカット面から入射した光が、レンズ内で全反射或いは乱反射を繰り返すことを防ぎ、眼鏡利用者の視野が白くなり、コントラストの低下をもたらすという問題を防ぐことができる。
【００１８】
図７は、本発明の五角形の眼鏡レンズと、ブリッジ、ヨロイ、テンプル等の眼鏡部品を用いて実際に眼鏡を組み立てたときの正面図及び一部の平面図である。図８は、本発明の五角形の眼鏡レンズと、ブリッジ、ヨロイ、テンプル等の眼鏡部品を用いて実際に眼鏡を組み立てたときの側面図である。図９は、本発明の五角形の眼鏡レンズと、ブリッジ、ヨロイ、テンプル等の眼鏡部品を用いて実際に眼鏡を組み立てたときの平面図である。
【００１９】
本発明の眼鏡はリムレスメガネである。そのためレンズ5の間に取り付けられ左右のレンズをつなぐブリッジ4と、レンズ5のテンプル側に取り付けられレンズとテンプルをつなぐヨロイ3と、ヨロイ3に回動自在に取り付けられたテンプル1と、テンプル1の先端部に取り付けられるモダン2とから構成されている。
【００２０】
ヨロイ3の、一端部にはレンズ5に当接してレンズの回動を防止する当たり部310と、レンズ5の表面に当接してレンズを固定するためのネジ孔320が設けられている。
一方レンズ5のヨロイ側の端に、ネジを通すためのネジ孔501が設けられている。そのためヨロイ3の当たり部310でレンズ5を保持し、ヨロイ3のネジ孔320とレンズのネジ孔501を併せネジを通して、ネジをナットで締めれば、ヨロイ3とレンズ5の取り付けは完成する。
【００２１】
ブリッジ4の両端部にはレンズに当接してレンズの回動を防止する当たり部410と、レンズの表面に当接してレンズを固定するためのネジ孔420が設けられている。
一方、レンズ5のブリッジ側の端にもネジ孔502が設けられている。そのためブリッジ4の当たり部410でレンズ5を保持し、ブリッジ4のネジ孔420とレンズ5のネジ孔502を併せてネジを通して、ネジをナットで締めれば、ブリッジ4とレンズ5の取り付けは完了する。
【００２２】
また、ヨロイ3のテンプル側と、テンプル1のヨロイ側にはそれぞれ丁番が取り付けられる。すなわちヨロイ3の丁番330には、上下に所定の間隔をおいて位置する環状のネジ孔が設けられる。そしてテンプル1の丁番130には、ヨロイの丁番330と嵌合するネジ孔が設けられる。そのため、ヨロイ3とテンプル1の丁番を嵌合させ、ネジで連結することで、開閉機能を有する丁番として働く。テンプルの丁番、ヨロイの丁番をともに「丁番」と表記したが、通常コマになっていて、ネジで連結する形状になっている。
【００２３】
モダン2は直接テンプルエンドが耳に当たると痛いために、テンプルにプラスチック製のモダン2を取り付けて、耳にテンプルエンドが当たる刺激を和らげている。パッド6はブリッジ4に取り付けられる。パッド6は、パッド脚の一端をブリッジ4にロー付けして取り付ける。パッド6を直接レンズ5に取り付ける方法も可能である。
このようにして、本発明の眼鏡部品をレンズに取り付けることができ、眼鏡が構成される。
【００２４】
また図１０及び図１１に本発明の他の実施例を挙げる。また、図１２に他のレンズの形状の実施例を挙げる。このように眼鏡レンズを五角形とすることで、眼鏡レンズ側面のレンズカット面から入射した光が、レンズ内で反射或いは散乱して迷光となることを防ぎ、眼鏡利用者の視野が白くなり、コントラストの低下をもたらすという問題を防ぐことができる。また、デザイン性に富んだリムレスメガネを提供することができる。
【産業上の利用可能性】
【００２５】
上記のように、本発明のリムレスメガネによれば、リムレスメガネにおける眼鏡レンズの形状を五角形とすることで、眼鏡レンズ側面のレンズカット面から入射した光が、レンズ内で反射或いは散乱して迷光となることを防ぎ、眼鏡利用者の視野が白くなり、コントラストの低下をもたらすという問題を防ぐことができる。また、デザイン性に富んだリムレスメガネを提供することができる。
【図面の簡単な説明】
【００２６】
【図１】特許文献１の発明におけるレンズの止着方法を説明するための図である。
【図２】玉型形状の眼鏡レンズにおいてレンズ側面から入射した光が、全反射を繰り返すことを説明するための図である。
【図３】光が物体に当たった際の、入射光線、屈折光線、反射光線の関係を表すための図である。
【図４】光の全反射を説明するための図である。
【図５】本発明の眼鏡レンズの実施の形態を表す一例である。
【図６】本発明の眼鏡レンズ側面のレンズカット面から入射した光の進行を説明するための図である。
【図７】本発明の五角形の眼鏡レンズと、ブリッジ、ヨロイ、テンプル等の眼鏡部品を用いて実際に眼鏡を組み立てたときの正面図及び一部の平面図である。
【図８】本発明の五角形の眼鏡レンズと、ブリッジ、ヨロイ、テンプル等の眼鏡部品を用いて実際に眼鏡を組み立てたときの側面図である。
【図９】本発明の五角形の眼鏡レンズと、ブリッジ、ヨロイ、テンプル等の眼鏡部品を用いて実際に眼鏡を組み立てたときの平面図である。
【図１０】本発明の他の実施例を表す図である。
【図１１】本発明の他の実施例を表す図である。
【図１２】本発明のレンズの形状の他の実施例を表す図である。
【符号の説明】
【００２７】
１        テンプル
１３０    丁番
２        モダン
３        ヨロイ
３１０    当たり部
３２０    ネジ孔
３３０    丁番
４        ブリッジ
４１０    当たり部
４２０    ネジ孔
５        レンズ
５０１    ネジ孔
５０２    ネジ孔
６        パッド
ｊｎｎｎ  ｊから始まる符号は従来技術において使用（ｎは数字）
【図１】
2005227642.tif 000003
【図２】
2005227642.tif 000004
【図３】
2005227642.tif 000005
【図４】
2005227642.tif 000006
【図５】
2005227642.tif 000007
【図６】
2005227642.tif 000008
【図７】
2005227642.tif 000009
【図８】
2005227642.tif 000010
【図９】
2005227642.tif 000011
【図１０】
2005227642.tif 000012
【図１１】
2005227642.tif 000013
【図１２】
2005227642.tif 000014